(57)【要約】【課題】複合機能有する画像形成装置におけるメールアドレス入力の操作性を向上させることができる画像形成装置を提供すること。【解決手段】ＯＣＲ機能とメモリーカード機能を複合画像形成装置に備えることにより、ＯＣＲ機能で手書きで書いたアドレスを読み取り、又、メモリーカード機能で予め記録してあったアドレスを書き出すことにより、送信先アドレスの指定/ 登録を容易にすることができる。又、メモリーカードに登録先を記録させることにより、他の画像形成装置への登録も容易にできるようになる複合画像形成装置を実現する。【選択図】図５
2007142998.tif 000002
【特許請求の範囲】
【請求項１】
画像を形成する画像形成部、外部装置と接続するためのネットワーク機能部を含む複合機能を有する画像形成装置において、
ＯＣＲ手段を制御するＯＣＲ制御手段を備え、ネットワーク先のアドレスを設定する場合、前記ＯＣＲ制御手段にて原紙に記載されたアドレスを認識することを特徴とする画像形成装置。
【請求項２】
前記ＯＣＲ制御手段は、前記認識したアドレスを前記画像形成装置に登録することを特徴とする請求項１記載の画像形成装置。
【請求項３】
画像を形成する画像形成部、外部装置と接続するためのネットワーク機能部を含む複合機能を有する画像形成装置において、
メモリカードの読み書きを制御するメモリカード制御手段を備え、ネットワーク先のアドレスを設定する場合、前記メモリカード制御手段にてメモリカードに記憶されたアドレスを認識することを特徴とする画像形成装置。
【請求項４】
前記メモリガード制御手段は、前記認識したアドレスを前記画像形成装置に登録することを特徴とする請求項３記載の画像形成装置。
【請求項５】
メモリカード制御手段は、前記画像形成装置に登録されているネットワーク先のアドレスを読み書きできることを特徴とする請求項３記載の画像形成装置。
【発明の詳細な説明】
【技術分野】
【０００１】
本発明は、ネットワーク機能を有する画像形成装置に関する。
【背景技術】
【０００２】
従来のネットワーク対応の画像形成装置では、画像情報や電子データ等をネットワーク上のファイル等に送信するシステムがある。そこで、メールアドレス等の登録を画像形成装置の操作部パネルでユーザーがマニュアルにて行っている（例えば、特許文献１）。
【特許文献１】特開２００２−３５８２７３号公報
【発明の開示】
【発明が解決しようとする課題】
【０００３】
操作部パネルにて、ユーザーが設定する場合、操作部パネル上にキーボードが表示されそれをペン型の棒や指で押していく方法で設定しているため、とても面倒であり手間が掛かっていた。しかも、設定している間は操作部を占領する形になるため、コピーを待つユーザー等、他のユーザーの迷惑になっていた。
【０００４】
本発明は上記問題に鑑みてなされたもので、その目的とする処は、ＯＣＲ機能にて記載したネットワーク先アドレスを読み取ることで、簡単で容易にアドレスを設定することができる画像形成装置を提供することにある。
【課題を解決するための手段】
【０００５】
上記目的を達成するため、請求項１記載の発明は、画像を形成する画像形成部、外部装置と接続するためのネットワーク機能部を含む複合機能を有する画像形成装置において、ＯＣＲ手段を制御するＯＣＲ制御手段を備え、ネットワーク先のアドレスを設定する場合、前記ＯＣＲ制御手段にて原紙に記載されたアドレスを認識することを特徴とする。
【０００６】
又、本発明は、画像を形成する画像形成部、外部装置と接続するためのネットワーク機能部を含む複合機能を有する画像形成装置において、メモリカードの読み書きを制御するメモリカード制御手段を備え、ネットワーク先のアドレスを設定する場合、前記メモリカード制御手段にてメモリカードに記憶されたアドレスを認識することを特徴とする。
【発明の効果】
【０００７】
本発明によれば、ＯＣＲ機能にて記載したネットワーク先アドレスを読み取ることで、簡単で容易にアドレスを設定することができる。
【０００８】
請求項２記載の発明によれば、メモリカードに登録されたネットワーク先アドレスを読み取ることで、簡単で容易にアドレスを設定することができる。
【０００９】
又、画像形成装置に登録されているアドレスをメモリカードに記憶することで、他の同等の画像形成装置に持っていくことができ、持っていった先でもカードを入れるだけでアドレス登録ができるようになる。  
以上のような方法で、操作部パネルを占領せず、容易に短時間でネットワーク先アドレスを指定、登録ができる画像形成装置を提供することができる。
【発明を実施するための最良の形態】
【００１０】
以下に本発明の実施の形態を添付図面に基づいて説明する。
【００１１】
画像入出力装置は、図１に示すように、ファクシミリ機能、プリンタ機能、電子ファイル機能、ＯＣＲ機能、メモリカード機能、ネットワーク機能を含む複合機能を有する複合デジタル複写機５００と、複合デジタル複写機５００にネットワーク５０７を介して接続されている管理端末５０３とを用いて構成される。
【００１２】
複合デジタル複写機５００は、図２に示すように、原稿画像を読み取るためのリーダ部１及び画像を用紙上に形成して出力するプリンタ部２と、ファクシミリ機能、プリンタ機能、電子ファイル機能、ＯＣＲ機能、メモリカード機能、ネットワーク機能を実現するための制御を司る画像入出力制御部３とから構成される。
【００１３】
複写機本体１５０のリーダ部１は、図３Ａに示すように、読取走査によって得られた原稿からの反射光を光電変換するＣＣＤ（電荷結合素子）１０９を有し、ＣＣＤ１０９の出力信号はＡ／Ｄ・ＳＨ回路（アナログデジタル・サンプリングホールド回路）１１０で原稿の画像を示す画像データに変換される。Ａ／Ｄ・ＳＨ回路１１０から出力される画像データは、画像処理部１１１又はインタフェース部（Ｉ／Ｆ）１１３に入力される。
【００１４】
画像処理部１１１は、設定された内容に応じて入力された画像データに対し必要に応じてシェーディング、変倍等の処理を施し、処理された画像データはプリンタ部２に転送される。Ｉ／Ｆ１１３は、入力された画像データを画像入出力制御部３に転送するとともに、画像入出力制御部３からの画像データを画像処理部１１０に転送する。
【００１５】
画像処理部１１１及びＩ／Ｆ１１３への画像データの入力制御、画像処理部１１１及びＩ／Ｆ１１３の動作等は操作部１１５で設定された内容に応じてＣＰＵ１１４によって制御される。例えば、操作部１１５でトリミング処理を行ってコピーを行う内容が設定されている場合、画像処理部１１１で入力された画像データに対しトリミング処理が施され、この処理されたデータはプリンタ部２に転送される。
【００１６】
又、操作部１１５でファクシミリ送信モードが設定されている場合、Ｉ／Ｆ１１３で画像データとファクシミリ送信に関する制御コマンドとが画像入出力制御部３に転送される。
【００１７】
このＣＰＵ１１４による制御は、メモリ１１６に格納されている制御プログラムに基づき実行される。メモリ１１６は、上記制御プログラムを格納するとともに、ＣＰＵ１１４の作業領域として用いられる。
【００１８】
次に、画像入出力制御部３の構成について図２及び図３Ａ及び図３Ｂを参照しながら説明する。
【００１９】
画像入出力制御部３は、図２に示すように、ファクシミリ部４、ファイル部５、コンピュータインターフェース部７、フォーマッタ部８、イメージメモリ部９、ＯＣＲ１３、ネットワークＩ／Ｆ１４、メモリカード４０２及びコア部１０を有する。
【００２０】
ファクシミリ部４は、電話回線を介して受信した圧縮画像データを伸長し、伸長した画像データをコア部１０に転送し、又、コア部１０からの画像データを圧縮し、その圧縮画像データを電話回線に送信する。又、ファクシミリ部４では、受信した圧縮画像データを一時的にハードディスク１２に格納するメモリ受信が実行可能である。
【００２１】
ファイル部５は、コア部１０から転送された画像データを圧縮してＭＯドライブユニット（光磁気ディスクドライブユニット）６に転送し、ＭＯドライブユニット６にセットされたＭＯディスク（光磁気ディスク）に読出し可能に書き込む処理を行うとともに、コア部１０からの検索要求に応じて対応する画像データをＭＯディスクから読み出し、読み出した画像データを伸長してコア部１０に転送する読出し処理を行う。
【００２２】
コンピュータインターフェース部７は、パーソナルコンピュータ又はワークステーション（ＰＳ／ＷＳ）１１とコア部１０との間で行われるデータの入出力のインタフェースを司る。
【００２３】
フォーマッタ部８は、コンピュータインターフェース部７を介して取り込まれたＰＳ／ＷＳ１１からのコードデータをプリンタ部２で印刷処理可能な画像データにイメージメモリ部９上に展開し、この画像データはコア部１０に転送される。
【００２４】
ＯＣＲ１３は、コア部１０から転送された画像データに対する認識処理を行い、この認識処理によって認識された文字等を文字コードに変換する。ＯＣＲ３の構成、動作の詳細な説明は後述する。
【００２５】
ネットワークＩ／Ｆ１４は、ネットワーク５０７に接続されている管理及び各端末５０３とコア部１０との間で行われるデータの入出力のインタフェースを司る。
【００２６】
コア部１０は、図３Ｂに示すように、リーダ部１のＩ／Ｆ１１３に接続されているＩ／Ｆ１２２と、ファクシミリ部４、ファイル部５、コンピュータインターフェース部７、フォーマッタ部８、イメージメモリ部９、ＯＣＲ１３、ネットワークＩ／Ｆ１４のそれぞれに接続されるＩ／Ｆ１２０とを有し、リーダ部１、ファクシミリ部４、ファイル部５、コンピュータインターフェース部７、フォーマッタ部８、イメージメモリ部９、ＯＣＲ１３、ネットワークＩ／Ｆ１４、メモリカード４０２のそれぞれの間のデータの入出力を制御する。このデータの入出力制御により、ファクシミリ機能、プリンタ機能、電子ファイル機能、ＯＣＲ機能、ネットワーク機能、メモリカード機能を実現する。
【００２７】
リーダ部１からの画像データは、Ｉ／Ｆ１１２を介してデータ処理部１２１に取り込まれ、画像データと共に転送された制御コマンドはＣＰＵ１２３に取り込まれる。データ処理部１２１では、必要に応じて取り込んだ画像データに対し回転処理、変倍処理等の画像処理を施す。データ処理部１２１で処理された画像データは、ＣＰＵ１２３が制御コマンドによって特定した転送先にＩ／Ｆ１２０を介して転送する。例えば、ファクシミリ送信時にはファクシミリ部４へ、画像データの蓄積時にはファイル部５へ、ＰＳ／ＷＳ１１との通信時にはコンピュータインターフェース部７へ、ネットワーク通信時にはネットワークＩ／Ｆ１４へ画像データが転送される。
【００２８】
ファクシミリ部４からの画像データは、Ｉ／Ｆ１２０を介してデータ処理部１２１に取り込まれた後にＩ／Ｆ１２２を介してリーダ部１へ、Ｉ／Ｆ１２０を介してファイル部５へ又はコンピュータインターフェース部７へ転送される。
【００２９】
コンピュータインターフェース部７を介して入力されたＰＳ／ＷＳ１１からのコードデータは、データ処理部１２１を経てフォーマッタ部８に転送され、フォーマッタ部８は、コードデータをイメージメモリ部９上で画像データに展開し、この画像データはコア部１０を介して対応する転送先に転送される。例えば、ファクシミリ送信時にはファクシミリ部４へ、プリント時にはリーダ部１へ画像データが転送される。
【００３０】
ファイル部５からの画像データは、Ｉ／Ｆ１２０を介してデータ処理部１２１に取り込まれた後にＩ／Ｆ１２２を介してリーダ部１へ、Ｉ／Ｆ１２０を介してファクシミリ部４へ又はコンピュータインターフェース部７又はネットワークＩ／Ｆ１４へ転送される。
【００３１】
このようなデータの転送に関する制御は、ＣＰＵ１２３がリーダ部１から転送された制御コマンドに応じてメモリ１２４に格納されている制御プログラムを読み出し実行することによって行われる。メモリ１２４は、上記制御プログラムを格納するとともに、ＣＰＵ１２３の作業領域として使用される。
【００３２】
次に、デジタル複写機本体のハード構成について図４を参照しながら説明する。
【００３３】
デジタル複写機本体１５０は、図４に示すように、リーダ部１とプリンタ部２とを一体化して搭載し、リーダ部１は、原稿を循環可能にプラテンガラス１０２を含む搬送経路に沿って搬送する原稿給送装置１０１と、原稿給送装置１０１によってプラテンガラス１０２上に搬送された原稿に対し読取走査を行うように移動するスキャナユニット１０４とを有する。
【００３４】
スキャナユニット４は、プラテンガラス１０２上に原稿が搬送されると、ランプ１０３を点灯して移動を開始し、原稿に対する読取走査を行う。ランプ１０３の点灯に伴い原稿から反射された反射光は、ミラー１０５，１０６，１０７及びレンズ１０８を介してＣＣＤ１０９に導かれ、ＣＣＤ１０９で光電変換される。ＣＣＤ１０９の出力信号は、Ａ／Ｄ・ＳＨ回路１１０（図３に示す）で画像データに変換された後に、画像処理部１１１を介してプリンタ部２へ又はＩ／Ｆ１１３を介して画像入出力制御部３へ転送される。
【００３５】
プリンタ部２は、画像処理部１１１からの画像データを入力するレーザドライバ２２１を有し、レーザドライバ２２１は入力された画像データに基づきレーザ発光部２０１を駆動し、レーザ発光部２０１は画像データに対応するようにレーザ光を変調し、該レーザ光を感光ドラム２０２に対し走査する。この走査されたレーザ光によって感光ドラム２０２には静電潜像が形成され、該静電潜像は現像器２０３によりトナー像に顕像化される。そのトナー像は、転写ユニット２０６により給紙カセット２０４，２０５の何れか一方から給紙されたシート（図示せず）に転写され、トナー像が転写されたシートは、搬送ベルト２１１で定着ローラ対２０７に搬送される。定着ローラ対２０７は、シート上のトナー像を熱圧し、該熱圧によりシートにはトナー像が画像として定着される。即ち、シートに画像が形成される。
【００３６】
画像が形成されたシートは、フラップ２０９の切換動作に応じて排出ローラ対２０８を経てソータ２２０へ至る排出パスと両面パス２１０の何れか一方のパスへ導かれる。両面パス２１０に導かれたシートは、その画像形成面が反転された後に再度感光ドラム２０２の入口まで戻され、該シートの反転された面に画像が形成される。
【００３７】
次に  本実施の形態の一連の動作を図５のフローチャート及び図６に基づいて説明する。
【００３８】
図２の複写機本体１５０の操作手段（不図示）のタッチパネルにより、ユーザーはアドレス指定をする（Ｓ１００）。
【００３９】
指示があると操作手段（不図示）は図６（ａ）の表示を行う（Ｓ１０１）。ユーザーはアドレス指定方法を選択する（Ｓ１０２）。指定された方法により制御を行う（Ｓ１０３）。紙の場合は、ＣＰＵ１２３はＯＣＲ１３へ指示する（Ｓ１０４）。ここでの処理動作の詳細な説明は後述する。
【００４０】
メモリカードの場合は、ＣＰＵ１２３はメモリカード５００へ指示する（Ｓ１０５）。ここでの処理動作の詳細な説明は後述する
「ここから入力」の場合は、ＣＰＵ１２３は、操作部へタッチパネルでの入力画面を指示する（Ｓ１０６）。ここでの処理は、キーボードに見立てたタッチパネルにより、アドレスをマニュアルにて入力することである。
【００４１】
ＣＰＵ１２３は、それぞれの処理結果からアドレス先を検索する（Ｓ１０７）。アドレス先への送信を開始／終了する（Ｓ１０８）。送信終了指示があると操作部（不図示）は図６（ｂ）の表示を行う（Ｓ１０９）。ユーザーはアドレス登録を選択する（Ｓ１１０）。
【００４２】
「いいえ」（登録しない）の場合は、動作を終了する（Ｓ１１４）。「はい」（登録する）の場合は、ＣＰＵ１２３は、アドレスをメモリ１２４へ登録する（Ｓ１１１）。登録終了指示があると操作部（不図示）は図６（ｃ）の表示を行う（Ｓ１１２）。ユーザーは登録内容をメモリカードに記録するか選択する（Ｓ１１３）。
【００４３】
「いいえ」（登録しない）の場合は、動作を終了する（Ｓ１１４）。「はい」（記録する）の場合は、ＣＰＵ１２３はメモリカード５００へ指示する（Ｓ１１５）。記録終了指示があると操作部（不図示）は図６（ｄ）の表示を行う動作を終了する（Ｓ１１４）。
【００４４】
又、紙を指定した場合は、予め決められたフォーマット（図７参照）に必要項目を書き込む。これを使用することにより、必要最小限の情報だけでＯＣＲ部１３が正確にアドレスの文字を抽出することができる。
【００４５】
次に、本実施の形態のＯＣＲ部１３の動作について図８のフローチャートに基づき説明する。
【００４６】
ＣＰＵ１２３より指示を受ける（Ｓ２００）。文字の抽出技術より、アドレスを検出又はフォーマットのアドレス部分だけを読み取り、アドレスを検出する（Ｓ２０１）。検出結果をＣＰＵ１２３へ送る（Ｓ２０２）。検出を終了する（Ｓ２０３）。
【００４７】
次に、本実施の形態のメモリカードの書き出し動作について図９のフローチャートに基づき説明する。
【００４８】
ＣＰＵ１２３より指示を受ける（Ｓ３００）。アドレスをカードから書き出し（Ｓ３０１）、書き出し結果をＣＰＵ１２３へ送る（Ｓ３０２）。書き出しを終了する（Ｓ３０３）。
【００４９】
次に、本実施の形態のメモリカードの書き込み動作について図１０のフローチャートに基づき説明する。
【００５０】
ＣＰＵ１２３より指示を受ける（Ｓ３１０）。登録したアドレスをカードへ書き込み（Ｓ３１１）、書き込み完了をＣＰＵ１２３へ送る（Ｓ３１２）。書き込みを終了する（Ｓ３１３）。
【００５１】
次に、メモリカード４０２の基本動作と構成を図１１〜図１３に基づき説明する。
【００５２】
図１１はメモリカード４０２が装着された配置図であり、図２の複写機本体１５０の操作手段（不図示）のボディを透視してセンサ部分を示している。
【００５３】
操作手段のカード挿入口３１３内にメモリカード４０２検知センサ４００と送受信用アンテナ部４０１を配置してある。
【００５４】
次に、図１２を参照して、メモリカード４０２とカードリーダ５２０の構成と機能について説明する。
【００５５】
図１２（ａ）は非接触型メモリカード４０２の構成を示す模式図である。
【００５６】
本図に示すように、メモリカード４０２は、樹脂材料等で成形された基台５００の中に、ループ状に形成されたアンテナ（コイル）部５０２と、このアンテナ（コイル）部５０２に接続された集積回路５０１とが埋め込まれている構造となっている。
【００５７】
図１２（ｂ）は非接触型メモリカード４０２の主に集積回路５０１の内部構成を示すブロック図である。
【００５８】
カードリーダ５２０から送信される信号（外部磁界による信号）をループアンテナ（コイル）部５０２で受信し、その受信した信号の誘導電流により電源５１３で集積回路５０１が動作するための電源を生成するとともに、受信した信号を復調器５１２で復調し、復調したデータによりメモリ回路５１４のデータの変換や書き換え、又は消去等を行う。又、メモリ回路５１４から読み出されるデータは、変調器５１１で変調し、変調した信号をループアンテナ（コイル）部５０２を通じて外部磁界による信号としてカードリーダ５２０側へ送信する。
【００５９】
図１２（ｃ）はカードリーダ５２０の内部構成を示すブロック図である。
【００６０】
カードリーダ５２０では、プロセッサ５２１の制御信号に基づき変調器５２２で変調した信号を分配器５２４を介してアンテナ５２５から外部磁界による信号として非接触型メモリカード４０２へ送信するとともに、非接触型メモリカード４０２から送信されてアンテナ５２５を通じて受信された外部磁界による信号は、分配器５２４を介して復調器５２３で復調されてプロセッサ５２１に送られる。
【００６１】
次に、メモリカード４０２からのデータ読み込み、メモリカード４０２へのデータの書き込みの制御動作を図１３を参照して説明する。
【００６２】
図１３はカードリーダ５２０の装着に応じてメモリカード４０２内のメモリ回路５１４へアクセスするＣＰＵ２０１の制御動作を示すフローチャートである。図１３のサブルーチンはメインルーチンのシーケンス（図示しない）から、一定時間毎に又は必要に応じて割り込みで呼ばれる。
【００６３】
先ず、ステップＳ６０１では、メモリカード検知センサ４００により、メモリカード４０２の有無を検出する。メモリカード４０２がメモリカード検知センサ４００によって検出されない場合は、ステップＳ６０１へ戻りメモリカード４０２が検出されるまで待つ。
【００６４】
メモリカード４０２がメモリカード検知センサ４００によって検出されている場合は、ステップＳ６０２に移行する。ステップＳ６０２では、メモリカード４０２へのアクセスモードを判断する。メモリカード４０２からデータを読み出す場合であればステップＳ６０３に移行し、メモリカード４０２へデータを書き込む場合であればステップＳ６０６に移行する。
【００６５】
ステップＳ６０３では、メモリカード４０２内のメモリ回路４１４の所定のアドレスのデータをカードリーダ５２０を通じて読み出し、読み出した内容をｓｔｅｐ１としてＲＡＭ２０５に記憶し、ステップＳ６０４に移行する。ステップＳ６０４では、再度同一アドレスのデータをメモリカード４０２内のメモリ回路５１４からカードリーダ５２０を通じて読み出し、読み出した内容をｓｔｅｐ２としてＲＡＭ２０５に記憶し、ステップＳ６０５に移行する。
【００６６】
ステップＳ６０５では、ＲＡＭ２０５に記憶したｓｔｅｐ１とｓｔｅｐ２の内容を比較する。Ｓｔｅｐ１とｓｔｅｐ２の内容が異なる場合には、読み出し失敗と判断し、ステップＳ６０３に戻って再度データの読み取り処理を行う。Ｓｔｅｐ１とｓｔｅｐ２の内容が等しい場合には、読み出しに成功したと判断し、ステップＳ６０１に戻る。
【００６７】
図１３のフローチャートでは図示していないが、通常、メモリカード４０２内のメモリ回路５１４へのリトライ数をＣＰＵ２０１側でカウントしており、所定回数以上繰り返し、読み出したＳｔｅｐ１とｓｔｅｐ２のデータが一致しない場合には、メモリカード４０２へのアクセスエラーとして、読み取りを中止する。
【００６８】
一方、ステップＳ６０６では、カードリーダ５２０を通じてメモリカード４０２内のメモリ回路５１４の所定のアドレスにデータを書き込み、又、その送信データをｓｔｅｐ１’としてＲＡＭ２０５に記憶して、ステップＳ６０７へ移行する。ステップＳ６０７では、カードリーダ５２０を通じてメモリカード４０２内のメモリ回路５１４の同一アドレスへアクセスしてデータを読み出し、読み出した内容をｓｔｅｐ２’としてＲＡＭ２０５に記憶し、ステップＳ６０８に移行する。
【００６９】
ステップＳ６０８では、ＲＡＭ２０５に記憶したｓｔｅｐ１’とｓｔｅｐ２’の内容を比較する。Ｓｔｅｐ１’とｓｔｅｐ２’の内容が異なる場合には、書き込み失敗と判断してステップＳ６０６に戻り、再度書き込み処理を行う。Ｓｔｅｐ１’とｓｔｅｐ２’の内容が等しい場合には、書き込みに成功したと判断して、ステップＳ６０１に戻る。
【００７０】
図１３のフローチャートでは図示していないが、通常、メモリカード４０２内のメモリ回路５１４へのリトライ数をＣＰＵ２０１側でカウントしており、所定回数以上繰り返し、書き込んだデータＳｔｅｐ１’と読み出したデータｓｔｅｐ２’とが一致しない場合には、メモリカード４０２へのアクセスエラーとして書き込みを中止する。
【００７１】
次に、ＯＣＲ部１３の入力された原稿から文書識別情報を抽出する処理について説明する。この処理の詳細なフローチャートを図１４に示す。
【００７２】
ステップＳ４００では、入力された文書画像から、入力された識別領域に基づいて、画像領域の切り出しを行う。そして、ステップＳ４０２では、ステップＳ４００で切り取られた領域内の画像に対して、文字認識を施すルーチンである。ここで、文字認識すべき領域が複数ある場合は、複数回文字認識を行い、対象文字が異なる場合は、それに最適な文字認識手法に切り替えて、文字・記号列を取り出す。ここで得られた文字・記号列が文書識別情報となる。
【００７３】
以上のような方法で、ネットワーク先アドレスを読み取れるＯＣＲ機能やメモリカード機能を画像形成装置に備えることにより、ＯＣＲ機能により記載されたアドレスを読み取り、又、メモリカード機能で予め記憶してあったアドレスを書き出すことにより、送信先アドレスの指定／登録を容易にすることができる。
【００７４】
又、メモリカードにアドレス先を記憶させることにより、他の画像形成装置への登録も容易にできるようになる画像形成装置を実現する。
【図面の簡単な説明】
【００７５】
【図１】本発明の画像入出力装置の構成を説明するための図である。
【図２】本発明の画像入出力装置の構成とデジタル複写機を説明するためのブロック図である。
【図３Ａ】本発明のリーダ部を説明するためのブロック図である。
【図３Ｂ】本発明のコア部を説明するためのブロック図である。
【図４】本発明の画像形成装置を説明するための図である。
【図５】本発明の動作を説明するためのフローチャートである。
【図６】本発明の操作部の画面を説明するための図である。
【図７】本発明の定型フォーマット紙（例）を説明する為の図である。
【図８】本発明のＯＣＲの動作を説明するフローチャートである。
【図９】本発明のメモリカードの書き出しを説明するフローチャートである。
【図１０】本発明のメモリカードの書き込みを説明するフローチャートである。
【図１１】本発明のメモリカード挿入部を説明する図である。
【図１２】（ａ）は本発明のメモリカードの模式図、（ｂ）は本発明のメモリカードの集積回路のブロック図、（ｃ）は本発明のメモリカードのカードリーダのブロック図である。
【図１３】本発明のメモリカードのメモリ回路へのアクセスフローチャート図である。
【図１４】本発明のＯＣＲの文書抽出フローチャート図である。
【符号の説明】
【００７６】
１    リーダ部
２    プリンタ部
３    画像入出力制御部
４    ファクシミリ部
５    ファイル部
６    ＭＯドライブユニット
１０    コア部
１４    ネットワークＩ／Ｆ
５００  複合デジタル複写機
５０３  管理端末
５０７  ネットワーク
３００  操作部
【図１】
2007142998.tif 000003
【図２】
2007142998.tif 000004
【図３Ａ】
2007142998.tif 000005
【図３Ｂ】
2007142998.tif 000006
【図４】
2007142998.tif 000007
【図５】
2007142998.tif 000008
【図６】
2007142998.tif 000009
【図７】
2007142998.tif 000010
【図８】
2007142998.tif 000011
【図９】
2007142998.tif 000012
【図１０】
2007142998.tif 000013
【図１１】
2007142998.tif 000014
【図１２】
2007142998.tif 000015
【図１３】
2007142998.tif 000016
【図１４】
2007142998.tif 000017